(57)【要約】【課題】  運動器に運動効果及び背中を按摩する効果を持たせることが可能な按摩機能を有する運動器を提供する。【解決手段】  運動器本体１、作動機構２、按摩器３などからなり、運動器本体１には人体の背中が凭れるために凭れ部１１を有する。凭れ部１１には凭れ棒１２、クッション１３を備える。凭れ棒１２には作動機構２の枢接部１２１、及び背中と対応する位置に按摩器３が移動するための溝孔１２２を設ける。作動機構２は按摩器３を本体１の凭れ部１１に対応して前後へ移動させる。按摩器３は按摩ローラー３１、軸棒３２を含み、その按摩ローラー３１と軸棒３２とは接合して本体の凭れ部１１に設置する。按摩器３を作動機構２と連動的に接合する。それによって作動機構２が動き出すと按摩器３の軸棒３２を連れて凭れ部１１にある溝孔１２２に沿って前後へ移動させる。【選択図】    図１
0003102509.tif 000002
【実用新案登録請求の範囲】
【請求項１】
運動器本体、作動機構および按摩器を備え、
運動器本体には人体の背中が凭れることが可能な凭れ部を有し、凭れ部には按摩器を組立てるための溝孔を設け、
作動機構は按摩器を本体の凭れ部に対応して前後へ移動させることが可能であり、
按摩器は按摩ローラー、軸棒を備え、その按摩ローラーと軸棒を繋ぐようにしてから軸棒を溝孔に挿入して本体の凭れ部に設置し、按摩器を作動機構と連動的に繋ぎ、
それによって作動機構が動き出すと按摩器の軸棒を連れて凭れ部にある溝孔に沿って前後へ移動させることが可能であり、運動器に運動効果及び背中を按摩する効果を持たせることを特徴とする按摩機能を有する運動器。
【請求項２】
本体の凭れ部には凭れ棒、クッションが設けられ、凭れ棒には作動機構と枢接可能な枢接部を設け、及び背中と対応する位置に按摩器が移動して作動可能な溝孔を設けて、
クッションには按摩器のローラーがその中を作動可能なスペースを設け、
作動機構は作動枠、連棒からなり、その作動枠は横棒を有し、そして横棒には取っ手部を設置し、横棒に作動棒を固着して設け、作動棒の両端には枢孔を設置し、枢接パーツで本体と枢接して、
連棒の両端には枢孔を設け、其々枢接パーツによって作動棒及び按摩器の軸棒と枢接可能であり、
按摩器の按摩ローラーと軸棒の両端とは接合し、本体の凭れ棒の両側に設け、
それによって使用者は作動機構の取っ手部を握って作動機構の作動枠を本体に対応して回転させることが可能であるために手を運動させる効果を収さめ、同時に作動棒は按摩器の軸棒を連れて溝孔に沿って前後へ移動させることが可能であるために按摩ローラーが人体の背中を上下へ移動しながら按摩するようになり、運動及び按摩の快適性を兼ねて持つことが可能であることを特徴とする請求項１記載の按摩機能を有する運動器。
【請求項３】
本体は支持枠、背もたれ枠を有し、その背もたれ枠には背中が凭れるための凭れ部を備え支持枠と枢接し、支持枠と接合するための弾性パーツを連続的に設け、背もたれ枠には作動機構と枢接するための枢接部及び按摩器が中を移動するための溝孔を設置し、
作動機構は作動枠、連棒からなり、その作動枠には横棒があり、横棒に取っ手部を設け、横棒には作動棒を固着して設け、作動棒の両端に枢孔を設けて、且枢接パーツにより本体と枢接し、
連棒において両端に枢孔を設け、其々枢接パーツによって作動棒及び按摩器の軸棒と枢接可能であり、按摩器の按摩ローラーを軸棒の両端に接合させ、本体の背もたれ枠の両側に設け、それによって使用者は背もたれ枠を起こしたり倒したりしたいとき、いつでも作動機構の取っ手部を握って作動枠を背もたれ枠に対応して回転させることが可能で、手を運動させる効果を収めることになり、それと同時に作動棒は按摩器の軸棒を連れて溝孔に沿って前後へ移動させることも可能であるため、按摩ローラーが人体の背中を上下へ移動することによって運動及び按摩の快適性を兼ねて持つことを特徴とする請求項１記載の按摩機能を有する運動器。
【請求項４】
本体に支持枠、背もたれ枠を設け、
背もたれ枠には人体の背中が凭れるような凭れ部を有し、支持枠と枢接して、弾性パーツを連続に設けることで支持枠と接合し、
本体の後に作動機構と枢接可能な枢接部を設け、背もたれ枠に按摩器が移動する溝孔を設け、作動機構は連棒を有し、その連棒の両端には枢孔を設け、其々枢接パーツによって本体の枢接部及び按摩器の軸棒と枢接可能であり、
按摩器は按摩ローラー、軸棒を備え、その按摩ローラーは軸棒の両端と接合し、軸棒は背もたれ枠に設けられている溝孔を貫通し、それで按摩ローラーは本体の背もたれ枠の両側に設けられ、
それによって使用者は背もたれ枠を起こしたり倒したりする時、作動機構、按摩器を連れて動き出させることが可能であり、按摩ローラーも人体の背中を上下へ移動可能となるために運動及び按摩の快適性を兼ねて持つことを特徴とする請求項１記載の按摩機能を有する運動器。
【考案の詳細な説明】
【技術分野】
【０００１】
本考案は、按摩機能を有する運動器に関する。
【背景技術】
【０００２】
現代社会において人々が運動する時に協力してくれる各種の形をする運動器があるが、腹筋背筋の運動について目下幾つかの腹筋背筋のための運動器が生産されている。
図１４は従来知られた構造の一つであり、主としては本体１’に凭れ棒１１’、クッション１２’を設けて構成されている。その本体１’は底部及び頂き部に近い個所に其々横向に人体の踵及び膝の関節を凭れるための棒体を設けている。凭れ棒１１’は斜め向きに設置され、且凭れ棒１１’の上方にクッション１２’を固着に設けることによって使用者は踵及び膝の関節を前方の棒体に凭れ掛けることが可能である。体を下へ向くまま傾斜にクッション１２’に凭れ掛けて腹筋背筋の運動をすることも可能である。
【考案の開示】
【考案が解決しようとする課題】
【０００３】
しかしながら前述の構造では、使用者はクッション１２’に凭れ掛ける時、只上半身だけを立てたり倒れたりさせるような繰返しの運動のみであり、按摩機能が持てないために適用性及び快適性が理想的にならない欠点をもたらした。
【０００４】
したがって本考案の目的は、運動器に運動効果及び背中を按摩する効果を持たせることが可能な按摩機能を有する運動器を提供することにある。
【課題を解決するための手段】
【０００５】
上述の目的を達成するために本考案の請求項に記載の按摩機能を有する運動器は、運動器本体、作動機構、按摩器などのパーツからなる。運動器本体には人体の背中が凭れることが可能な凭れ部を有し、凭れ部には按摩器を組立てるための溝孔を設ける。作動機構は按摩器を本体の凭れ部に対応して前後へ移動させることが可能である。
【０００６】
按摩器は按摩ローラー、軸棒を備え、その按摩ローラーと軸棒を繋ぐようにしてから軸棒を溝孔に挿入して本体の凭れ部に設置し、且按摩器を作動機構と連動的に繋ぐ。それによって作動機構が動き出すと按摩器の軸棒を連れて凭れ部にある溝孔に沿って前後へ移動させることが可能で、且運動器に運動効果及び背中を按摩する効果を持たせる。
【考案を実施するための最良の形態】
【０００７】
以下、本考案の実施例を図面に基づいて説明する。
とができ、且運動器に運動効果及び背中を按摩する効果を持たせる。
【０００８】
図１、図２に示すように、本考案の第一実施例による按摩機能を有する運動器は運動器本体１、作動機構２、按摩器３など主なパーツからなる。本体１の前方に足を引っかけることが可能である。中央には凭れ部１１を設け、凭れ部１１には凭れ棒１２、クッション１３を有する。凭れ棒１２には作動機構２の枢接部１２１、及び背中と対応する位置に按摩器３が移動するための溝孔１２２を設ける。クッション１３には後述の按摩器３の按摩ローラー３１がその中を作動可能であるスペース１３１を設ける。
【０００９】
作動機構２は作動枠２１、連棒２２からなり、作動枠２１には横棒２１１が設けられ、横棒２１１には手で握ることが可能な取っ手部２１２を設ける。横棒２１１に作動棒２１３を固着して設け、且作動棒２１３の両端に枢孔２１４、枢孔２１５を設けて、そしてその枢孔２１４が枢接パーツを貫通して本体１の枢接部１２１と枢接する。連棒２２とはその両端に枢孔２２１、枢孔２２２を設置して、そして其々枢接パーツによって作動棒２１３及び後述の按摩器３の軸棒３２と枢接することが可能である。その按摩ローラー３１は軸棒３２の両端と接合し、本体１の凭れ棒１２の両側に設け、軸棒３２は本体１の溝孔１２２を貫通して、又ローラー３２１を設けるものである。
【００１０】
図３、図４に示すように、本考案の実施例では使用者は本体１の凭れ部１１に凭れて、そして腹筋背筋運動をすることが可能である。使用者は作動機構２の取っ手部２１２を握って作動機構２の作動枠２１を本体１に対応して回転させることが可能である。手の運動効果が収められ、又同時に作動棒２１３は按摩器３の軸棒３２を連れて溝孔１２２に沿って前後へ移動させるために按摩ローラー３１は体の背中に対応して上下して按摩でき、運動及び按摩の快適性を兼ねて持つことになる。
【００１１】
図５、図６に示すように、本考案の第二実施例による按摩機能を有する運動器は運動器本体４、作動機構５、按摩器６からなる。本体４は支持枠４１、背もたれ枠４２を有し、その背もたれ枠４２は背中が凭れかかるための凭れ部４２１を備える。支持枠４１と枢接して、且弾性パーツ４３を連続に設けて支持枠４１と接合する。背もたれ枠４２の上に作動機構５の枢接部４２２、及び按摩器６が移動できるための溝孔４２３を設置している。
【００１２】
作動機構５は作動枠５１、連棒５２からなり、作動枠５１は横棒５１１を有する。横棒５１１の両側に手で握るための取っ手部５１２を設ける。横棒５１１に作動棒５１３を固着に設けて、又作動棒５１３の両端に枢孔５１４、枢孔５１５を設けて、そしてその枢孔５１４に枢接パーツが貫通して本体４の枢接部４２２と枢接している。連棒５２の両端には枢孔５２１、枢孔５２２を設けて、そして其々枢接パーツによって作動棒５１３及び後述の按摩器６の軸棒６２と枢接可能である。
【００１３】
按摩器６は按摩ローラー６１、軸棒６２を含む。按摩ローラー６１は軸棒６２の両端と接合し、本体４の背もたれ枠４２の両側に設ける。軸棒６２は本体４にある背もたれ枠４２の溝孔４２３を貫通して、且ローラー６２１を設置する。
【００１４】
図７から図９に示すように、本考案を実施する場合、使用者は本体４の支持枠４１に腰掛けることが可能で、そして背中が背もたれ枠４２に凭れかかることが可能である。背もたれ枠４２を支持枠４１に対応して回転させることによって腹筋背筋の運動をすることが可能である。背もたれ枠４２を後へ倒す場合、弾性パーツ４３を引伸ばせばよい。弾性パーツ４３の弾性復帰力によって背もたれ枠４２を起こすことが可能で、又背もたれ枠４２を起こしたり倒したりしたい場合、作動機構５２の取っ手部５１２を握って作動枠５１を背もたれ枠４２に対応して回転させればよいために手の運動効果も収められ、且同時に作動棒５１３は按摩器６の軸棒６２を連れて溝孔４２３に沿って前後へ移動させることが可能なために按摩ローラー６１が人体の背中に対応して上下へ移動でき、そうすると運動及び按摩の快適性を兼ねて持つことになる。
【００１５】
図１０、図１１に示すように本考案の第三実施例では運動器本体７、作動機構８、按摩器９からなり、本体７に支持枠７１、背もたれ枠７２を設けて、且本体７の後に作動機構８と枢接するための枢接部７３を設ける。その背もたれ枠７２に人体の背中が凭れかかるための凭れ部７２１があり、そして支持枠７１と枢接して、且連続に弾性パーツ７４を設けて支持枠７１と接合する。背もたれ枠７２に按摩器９が移動して作動するための溝孔７２２を設ける。
【００１６】
作動機構８は連棒８１を有し、連棒８１の両端に枢孔８１１、枢孔８１２を設けて、且其々枢接パーツによって本体７の枢接部７３及び後述の按摩器９の軸棒９２と枢接する。
【００１７】
按摩器９は按摩ローラー９１、軸棒９２を含む。按摩ローラー９１は軸棒９２の両端と接合し、本体７の背もたれ枠７２の両側に設けて、又軸棒９２は本体７にある背もたれ枠７２の溝孔７２２を貫通して、且ローラー９２１を設置する。
【００１８】
図１２、図１３に示すように、実施する場合、使用者は本体７の支持枠７１に腰掛けることが可能である。背中は背もたれ枠７２に凭れかかることが可能で、背もたれ枠７２を支持枠７１に対応して回転させることによって腹筋背筋の運動をすることが可能である。背もたれ枠７２を後へ倒す場合、弾性パーツ７４を引伸ばす。そして弾性パーツ７４の弾性復帰力によって背もたれ枠７２を立てることが可能である。背もたれ枠７２を起こしたたまま使用する場合は按摩ローラー９１が使用者の下方に位置し、背もたれ枠７２を後へ倒すと、作動機構８の連棒８１が按摩器９の軸棒９２を連れて溝孔７２２に沿って背中の上方と対応する位置まで移動する。背もたれ枠７２を倒したり、起こしたりする動作を繰り返す時に作動機構８、按摩器９を連れて動かせることが可能であるために按摩ローラー９１が人体の背中に対応して上下へ移動し、そうすると運動及び按摩の快適性を兼ねて持つことになる。
【図面の簡単な説明】
【００１９】
【図１】本考案の第一実施例による按摩機能を有する運動器を示す部分分解図である。
【図２】本考案の第一実施例による按摩機能を有する運動器を示す組み合わせ図である。
【図３】本考案の第一実施例による按摩機能を有する運動器を示す操作図である。
【図４】本考案の第一実施例による按摩機能を有する運動器を示す操作図である。
【図５】本考案の第二実施例による按摩機能を有する運動器を示す部分分解図である。
【図６】本考案の第二実施例による按摩機能を有する運動器を示す組み合わせ図である。
【図７】本考案の第二実施例による按摩機能を有する運動器を示す操作図である。
【図８】本考案の第二実施例による按摩機能を有する運動器を示す操作図である。
【図９】本考案の第二実施例による按摩機能を有する運動器を示す操作図である。
【図１０】本考案の第三実施例による按摩機能を有する運動器を示す部分分解図である。
【図１１】本考案の第三実施例による按摩機能を有する運動器を示す組み合わせ図である。
【図１２】本考案の第三実施例による按摩機能を有する運動器を示す操作図である。
【図１３】本考案の第三実施例による按摩機能を有する運動器を示す操作図である。
【図１４】従来の製品の構造図である。
【符号の説明】
【００２０】
１  本体、２  作動機構、３  按摩器、４  本体、５  作動機構、６  按摩器、７  本体、８  作動機構、９  按摩器、１１  凭れ部、１２  凭れ棒、１３  クッション、２１  作動枠、２２  連棒、３１  按摩ローラー、３２  軸棒、４１  支持枠、４２  背もたれ枠、４３  弾性パーツ、５１  作動枠、５２  連棒、６１  按摩ローラー、６２  軸棒、７１  支持枠、７２  背もたれ枠、７３  枢接部、７４  弾性パーツ、８１  連棒、９１按摩ローラー、９２  軸棒、１２１  枢接部、１３１  スペース溝孔、２１１  横棒、２１２  取っ手部、２１３  作動棒、２１４  枢孔、２１５  枢孔、２２１  枢孔、２２２  枢孔、３２１  ローラー、４２１  凭れ部、４２２  枢接部、４２３  溝孔、５１１  横棒、５１２  取っ手部、５１３  作動棒、５１４  枢孔、５１５  枢孔、５２１  枢孔、５２２  枢孔、６２１  ローラー、７２１  凭れ部、７２２  溝孔、８１１  枢孔、８１２  枢孔、９２１  ローラー
【図１】
0003102509.tif 000003
【図２】
0003102509.tif 000004
【図３】
0003102509.tif 000005
【図４】
0003102509.tif 000006
【図５】
0003102509.tif 000007
【図６】
0003102509.tif 000008
【図７】
0003102509.tif 000009
【図８】
0003102509.tif 000010
【図９】
0003102509.tif 000011
【図１０】
0003102509.tif 000012
【図１１】
0003102509.tif 000013
【図１２】
0003102509.tif 000014
【図１３】
0003102509.tif 000015
【図１４】
0003102509.tif 000016